(57)【要約】【課題】  キーボードユニットの取り外しを容易にできる電子機器を提供する。【解決手段】  電子機器は、筐体と、筐体に取り付けられたキーボードユニット２２と、を具備し、キーボードユニット２２は、板状のベース２５と、ベース２５から突出した複数のキー２６と、キー２６がそれぞれ貫通した複数の貫通孔３４が設けられたベースカバー２７と、ベースカバー２７に設けられるとともに、取り外し時に用いられる引掛部３６と、を具備する。【選択図】図２
2011181081.tif 000002
【特許請求の範囲】
【請求項１】
筐体と、
前記筐体に取り付けられたキーボードユニットと、
を具備し、
前記キーボードユニットは、
板状のベースと、
前記ベースから突出した複数のキーと、
前記キーがそれぞれ貫通した複数の貫通孔が設けられたベースカバーと、
前記ベースカバーに設けられるとともに、取り外し時に用いられる引掛部と、
を具備することを特徴とする電子機器。
【請求項２】
前記ベースカバーは、前記貫通孔を規定した周面を有し、前記引掛部は、前記周面に設けられることを特徴とする請求項１に記載の電子機器。
【請求項３】
前記引掛部は、前記周面のうち手前側の面に設けられたことを特徴とする請求項２に記載の電子機器。
【請求項４】
前記ベースカバーは、
前記ベースに面した第１の面と、
前記第１の面とは反対側の第２の面と、
を有し、
前記引掛部は、前記周面と前記第１の面とに跨って設けられた切欠きであることを特徴とする請求項３に記載の電子機器。
【請求項５】
前記筐体に設けられたキーと、
前記キーが露出された第１開口部と、前記筐体表面から離間されて外部部材を挿入可能な第２開口部と、が設けられたカバー部と、
を具備することを特徴とする電子機器。
【請求項６】
前記カバー部は、前記第１開口部を規定した周面を有し、前記第２開口部は、前記周面に設けられることを特徴とする請求項５に記載の電子機器。
【請求項７】
前記第２開口部は、前記周面のうち手前側の面に設けられたことを特徴とする請求項６に記載の電子機器。
【請求項８】
キーと、
前記キーが露出された開口部と、取り外し時に利用可能な引掛部と、が設けられたカバー部と、
を具備することを特徴とする電子機器。
【請求項９】
前記カバー部は、前記開口部を規定した周面を有し、前記引掛部は、前記周面に設けられることを特徴とする請求項８に記載の電子機器。
【請求項１０】
前記第２開口部は、前記周面のうち手前側の面に設けられたことを特徴とする請求項９に記載の電子機器。
【発明の詳細な説明】
【技術分野】
【０００１】
本発明は、キーボードユニットを有した電子機器に関する。
【背景技術】
【０００２】
筐体の上面にキーボードユニットを固定した情報処理装置が開示されている。この情報処理装置は、窪み部を有する筐体と、窪み部に固定されるキーボードユニットと、を有している。キーボードユニットは、奥側に設けられた第１の爪部と、手前側に設けられた凹部と、を有している。また、筐体の窪み部の周辺には、第１の爪部を差し込むための穴と、凹部に嵌る第２の爪部と、を有している。
【０００３】
この情報処理装置では、まず、奥側に設けられた第１の爪部を筐体の穴に差し込む。さらに、キーボードユニットの手前側を筐体の方向に向かって押し込むと、凹部内に第２の爪部が嵌り込んで筐体にキーボードユニットを固定することができる。一方、キーボードユニットを筐体から取り外す場合には、光ディスク装置が収容される収容部に指等を差し込んで、下側から持ち上げることでキーボードユニットを取り外すことができる（例えば、特許文献１参照）。
【先行技術文献】
【特許文献】
【０００４】
【特許文献１】特開平７−６４６７０号公報
【発明の概要】
【発明が解決しようとする課題】
【０００５】
しかしながら、上記従来の情報処理装置のように、キーボードユニットの近傍の位置に光ディスク装置等の収容部があればよいが、収容部がキーボードユニットの近傍にない場合には、キーボードユニットの取り外しは容易ではない。
【０００６】
本発明の目的は、キーボードユニットの取り外しを容易にできる電子機器を提供することにある。
【課題を解決するための手段】
【０００７】
前記目的を達成するため、本発明の一つの形態に係る電子機器は、筐体と、前記筐体に取り付けられたキーボードユニットと、を具備し、前記キーボードユニットは、板状のベースと、前記ベースから突出した複数のキーと、前記キーがそれぞれ貫通した複数の貫通孔が設けられたベースカバーと、前記ベースカバーに設けられるとともに、取り外し時に用いられる引掛部と、を具備する。
【発明の効果】
【０００８】
上記の構成によれば、キーボードユニットの取り外しを容易にできる電子機器を提供できる。
【図面の簡単な説明】
【０００９】
【図１】第１の実施形態に係るポータブルコンピュータを示す斜視図。
【図２】図１に示すポータブルコンピュータのキーボードユニットを分解して示す斜視図。
【図３】図１に示すポータブルコンピュータのキーボードユニットを拡大して示す斜視図。
【図４】図３に示すキーボードユニットのキーを指で押し込んだ状態を示した斜視図。
【図５】図３に示すキーボードユニットのＦ５−Ｆ５線に沿った断面図。
【図６】図４に示すキーボードユニットのＦ６−Ｆ６線に沿った断面図。
【図７】第２の実施形態に係るポータブルコンピュータのキーボードユニットの縦方向に沿った断面図。
【図８】第３の実施形態に係るポータブルコンピュータのキーボードユニットの縦方向に沿った断面図。
【図９】第４の実施形態に係るポータブルコンピュータのキーボードユニットの縦方向に沿った断面図。
【発明を実施するための形態】
【００１０】
以下に、図１から図６を参照して、電子機器の第１の実施形態について説明する。本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１１】
図１に示すように、電子機器の一例であるポータブルコンピュータ１１は、本体ユニット１２と、表示ユニット１３と、本体ユニット１２と表示ユニット１３との間に設けられるヒンジ部（ヒンジ）１４と、を備えている。ヒンジ部１４は、表示ユニット１３を回転可能に支持している。言い換えると、ヒンジ部１４は、本体ケース（第１筐体）２１とディスプレイケース（第２筐体）１６とを回動可能に連結している。
【００１２】
表示ユニット１３は、表示画面を有した表示装置の一例であるディスプレイ１５と、ディスプレイ１５の周囲を取り囲む合成樹脂製のディスプレイケース（第２筐体）１６と、を有している。ディスプレイ１５は、本実施形態では、液晶ディスプレイが用いられている。ディスプレイケース１６は、金属製であってもよい。
【００１３】
図１から図４に示すように、本体ユニット１２は、例えば、合成樹脂によって箱状に形成される本体ケース（第１筐体）２１と、本体ケース２１の上面に取り付けられたキーボードユニット２２と、本体ケース２１の上面に設けられたタッチパッド２３と、本体ケース２１の内部に収容されたプリント回路板２４と、を備えている。なお、本発明にいう筐体は、本体ケース２１とディスプレイケース１６とを含んだ概念である。本体ケース２１は、金属製であってもよい。
【００１４】
図２から図４に示すように、キーボードユニット２２は、平板状のベース２５と、ベース２５上に載せこまれた複数のキー２６と、ベース２５の上面を覆うベースカバー（カバー部材）２７と、を有している。ベース２５は、例えば、キー２６が押し込まれたことを感知できるスイッチ基板３１と、スイッチ基板３１を裏側から補強する金属製の補強板３２と、とで構成されている。
【００１５】
図５に示すように、キー２６は、例えば、弾力性を有する合成樹脂製の支持部３３によって支持されており、それぞれ指によって押下げることができる。キー２６は、外界に露出した第１の位置Ｐ１と、この第１の位置Ｐ１よりも本体ケース（第１筐体）２１内側に位置した第２の位置Ｐ２との間で、進退移動することができる。なお、図２、図３に示すキーボードユニット２２は、図１に示されるキーボードユニット２２を概略的に示したものであり、キー２６の配列は一致していない。
【００１６】
ベースカバー２７は、本体ケース２１と同じ材質の合成樹脂によって形成されている。ベースカバー２７は、ベース２５に対してねじ止め又は溶着によって固定されている。図１に示すように、ベースカバー２７は、本体ケース２１に取り付けられた状態において、周囲の本体ケース２１と面一になっており、意匠性が向上している。
【００１７】
ベースカバー２７は、平板状をなしており、複数の貫通孔（第１開口部）３４を有している。図３に示すように、キー２６は、この貫通孔３４の内側をそれぞれ貫通している。図４に示すように、ベースカバー２７は、貫通孔３４の四周を規定した周面（周縁）３５と、周面３５に設けられた引掛部３６と、を有している。この引掛部３６に対して、取り外し用の治具や指を差し込むことで、本体ケース２１からキーボードユニット２２を取り外すことができる。また図２に示すように、ベースカバー２７は、ベース２５に面した第１の面４１と、第１の面４１とは反対側の第２の面４２と、を有している。
【００１８】
図２に示すように、引掛部３６は、例えばベースカバー２７に設けられた複数の貫通孔３４のうち、最も後方の列にある貫通孔３４の周面に設けられている。より具体的には、引掛部３６は、最も後方の列に設けられた複数の貫通孔３４のうち、左右方向の両端部の近傍にある合計２つの貫通孔３４の周面３５に設けられている。
【００１９】
第１の実施形態において、引掛部３６は、周面３５と第１の面４１とに跨って設けられた切欠きである。図５に示すように、引掛部３６は、第１の面４１から段状に窪んで形成されている。引掛部（第２開口部）３６は、支持部３３よりもヒンジ部１４の近くの位置にあり、周面３５のうち、後方にある面３５Ａに設けられている。
【００２０】
なお、本実施形態では、引掛部３６は、左右方向の両端部の近傍にある貫通孔３４の周面３５に形成されているが、引掛部３６の配置はこれに限定されるものではなく適宜に設定することができる。例えば、キーボードユニット２２が、いわゆるテンキーを含むような大型のものである場合には、例えば、最も後方の列に設けられた複数の貫通孔３４のうち、左右方向両端部の近傍にある２つの貫通孔３４の周面３５と、中央部の近傍にある貫通孔３４の周面３５と、の合計３箇所に引掛部３６を設けてもよい。
【００２１】
続いて、キーボードユニット２２を取り外す工程について説明する。図４、図６に示すように、作業者がキー２６を指で下方に押し込んで第２の位置Ｐ２にすることで、引掛部（第２開口部）３６が外部に露出される。この状態で、引掛部３６に取り外し用の治具や指を差し込んで、キーボードユニット２２を上方に持ち上げるのと同時に、図示しないロック爪等による係合を解除することによって、キーボードユニット２２を本体ケース２１から取り外すことができる。
【００２２】
第１の実施形態によれば、電子機器は、筐体と、筐体に取り付けられたキーボードユニット２２と、を具備し、キーボードユニット２２は、板状のベース２５と、ベース２５上に載せこまれた複数のキー２６と、キー２６がそれぞれ貫通した複数の貫通孔３４と、貫通孔３４の四周を規定した周面３５と、を有したベースカバー２７と、ベースカバー２７の周面３５に設けられるとともに、取り外し時に用いられる引掛部３６と、を具備する。
【００２３】
この構成によれば、周面３５に引掛部３６が設けられるため、通常の使用状態で見えない位置に引掛部３６を配置することができる。これによって、引掛部３６を覆い隠すための化粧板のような他の部材を必要とすることがなく、部品点数を削減できるとともにポータブルコンピュータ１１の体裁を良好にできる。また、引掛部３６に治具や指を差し込むことで、キーボードユニット２２を簡単に取り外すことができる。
【００２４】
また、ベースカバー２７は、ベース２５に面した第１の面４１と、第１の面４１とは反対側の第２の面４２と、を有し、引掛部３６は、周面３５と第１の面４１とに跨って設けられた切欠きである。この構成によれば、引掛部３６を外部から見えない箇所に配置できるとともに、引掛部３６を簡単な構造で実現できる。
【００２５】
さらに、引掛部（第２開口部）３６は、支持部３３よりもヒンジ部１４の近くに位置しているので、作業者が目視しながら引掛部３６に治具や指を差し込むことができ、キーボードユニット２２を取り外す際の作業性を向上することができる。
【００２６】
続いて図７を参照して、電子機器の第２の実施形態について説明する。第２の実施形態の電子機器の一例であるポータブルコンピュータ１１は、引掛部３６の設けられる位置が異なる点で第１の実施形態のものと異なっているが、他の部分は第１の実施形態と共通している。このため、主として異なる部分について説明し、共通する部分については共通の符号を付して説明を省略する。第２の実施形態のポータブルコンピュータ１１は、図１に示すものと同様の外観を有する。
【００２７】
第２の実施形態において、引掛部３６は、周面３５と第１の面４１とに跨って設けられた切欠きである。図７に示すように、引掛部３６は、第１の面４１から段状に窪んで形成されている。引掛部３６は、周面３５のうち、前方にある面、つまり手前側の面３５Ｂに設けられている。
【００２８】
第２の実施形態によれば、引掛部３６は、支持部３３よりもヒンジ部１４から離れて位置しており、周面３５のうち手前側の面３５Ｂに設けられている。この構成によれば、キー２６を押し込んだ状態であっても、ユーザの方向から見えない位置に引掛部３６を配置することができる。これによって、さらにポータブルコンピュータ１１の体裁をより一層良好にすることができる。
【００２９】
続いて図８を参照して、電子機器の第３の実施形態について説明する。第３の実施形態の電子機器の一例であるポータブルコンピュータ１１は、引掛部３６の形態が第１の実施形態のものと異なっているが、他の部分は第１の実施形態と共通している。このため、主として異なる部分について説明し、共通する部分については共通の符号を付して説明を省略する。第３の実施形態のポータブルコンピュータ１１は、図１に示すものと同様の外観を有する。
【００３０】
第３の実施形態では、引掛部３６は、周面３５から窪んで設けられた溝として形成されている。すなわち、引掛部３６は、本体ケース２１の延びている方向に沿って延びた溝状をなしている。引掛部３６は、周面３５のうち、後方にある面３５Ａに形成されている。
【００３１】
キーボードユニット２２を取り外す際には、作業者がキー２６を指で下方に押し込むことで、引掛部３６が外部に露出される。この状態で、引掛部３６に取り外し用の治具や指を差し込んで、キーボードユニット２２を上方に持ち上げるのと同時に、図示しないロック爪等による係合を解除することによって、キーボードユニット２２を本体ケース２１から取り外すことができる。
【００３２】
第３の実施形態によれば、引掛部３６は、周面３５から窪んだ溝である。この構成によれば、引掛部３６を溝として形成した場合でも、引掛部３６に治具や指を差し込んで筐体からキーボードユニット２２を簡単に取り外すことができる。また、この溝で構成される引掛部３６は、キー２６によって隠されるため、ポータブルコンピュータ１１の体裁も良好にすることができる。
【００３３】
続いて図９を参照して、電子機器の第４の実施形態について説明する。第４の実施形態の電子機器の一例であるポータブルコンピュータ１１は、引掛部３６の位置が第３の実施形態のものと異なっているが、他の部分は第３の実施形態と共通している。このため、主として異なる部分について説明し、共通する部分については共通の符号を付して説明を省略する。第４の実施形態のポータブルコンピュータ１１は、図１に示すものと同様の外観を有する。
【００３４】
第４の実施形態では、引掛部３６は、周面３５から窪んだ溝として形成されている。引掛部３６は、周面３５のうち、前方にある面、すなわち手前側の面３５Ｂに設けられている。
【００３５】
第４の実施形態によれば、引掛部３６は、周面３５のうち手前側の面３５Ｂに設けられている。この構成によれば、ユーザから見えない位置に引掛部３６を設けることができるため、より一層ポータブルコンピュータ１１の体裁を良好にすることができる。
【００３６】
電子機器は、上記実施形態に示したポータブルコンピュータ１１用に限らず、例えば携帯電話機のようなその他の電子機器に対しても実施可能である。また、引掛部３６の形態は、上記した切欠きや溝に限定されるものでなく、取り外し用の治具や指が差込可能な形態であればどのような形態であってもよい。その他、電子機器は、発明の要旨を逸脱しない範囲で種々変形して実施することができる。
【００３７】
以下に、本願の原出願である特願２０１０−０４２９７９に記載された発明を付記する。
【００３８】
［１］
筐体と、
前記筐体に取り付けられたキーボードユニットと、
を具備し、
前記キーボードユニットは、
板状のベースと、
前記ベース上に載せこまれた複数のキーと、
前記キーがそれぞれ貫通した複数の貫通孔と、前記貫通孔の四周を規定した周面と、を有したベースカバーと、
前記ベースカバーの前記周面に設けられるとともに、取り外し時に用いられる引掛部と、
を具備することを特徴とする電子機器。
【００３９】
［２］
前記ベースカバーは、
前記ベースに面した第１の面と、
前記第１の面とは反対側の第２の面と、
を有し、
前記引掛部は、前記周面と前記第１の面とに跨って設けられた切欠きであることを特徴とする［１］に記載の電子機器。
【００４０】
［３］
前記引掛部は、前記周面のうち手前側の面に設けられたことを特徴とする［２］に記載の電子機器。
【００４１】
［４］
前記引掛部は、前記周面から窪んだ溝であることを特徴とする［１］に記載の電子機器。
【００４２】
［５］
前記引掛部は、前記周面のうち手前側の面に設けられたことを特徴とする［４］に記載の電子機器。
【００４３】
［６］
第１筐体と、
前記第１筐体に設けられ、第１の位置と、この第１の位置よりも前記第１筐体内側に位置する第２の位置との間で移動可能に支持部に支持されたキーと、
前記第１筐体に着脱可能に設けられ、前記キーが露出された第１開口部が設けられたカバー部材と、
前記第１開口部の周縁に設けられ、前記キーが前記第２の位置に移動した場合に露出する第２開口部と、
を具備することを特徴とする電子機器。
【００４４】
［７］
表示画面を有する表示装置が収容された第２筐体と、
前記第１筐体と前記第２筐体とを回動可能に連結するヒンジと、を備え
前記第２開口部は、前記支持部よりも前記ヒンジの近くに位置したことを特徴とする［６］に記載の電子機器。
【００４５】
［８］
表示画面を有する表示装置が収容された第２筐体と、
前記第１筐体と前記第２筐体とを回動可能に連結するヒンジと、を備え
前記第２開口部は、前記支持部よりも前記ヒンジから離れて位置したことを特徴とする［６］に記載の電子機器。
【符号の説明】
【００４６】
１１…ポータブルコンピュータ、１６…ディスプレイケース、２１…本体ケース、２２…キーボードユニット、２５…ベース、２６…キー、２７…ベースカバー、３４…貫通孔、３５…周面、３５Ａ…後方にある面、３５Ｂ…手前側の面、３６…引掛部、４１…第１の面、４２…第２の面
【図１】
2011181081.tif 000003
【図２】
2011181081.tif 000004
【図３】
2011181081.tif 000005
【図４】
2011181081.tif 000006
【図５】
2011181081.tif 000007
【図６】
2011181081.tif 000008
【図７】
2011181081.tif 000009
【図８】
2011181081.tif 000010
【図９】
2011181081.tif 000011